(57)【要約】【課題】安全性が確保できる医療用アダプタおよび、医療用アダプタに適応した化学処理用カートリッジを提供する。【解決手段】注入針１１の両端がカバー材１２に覆われている。開口１４を介して採血管２をカバー材１２の内部に差し込むと、注入針１１の一端が栓２２を突き破って採血管２に挿入され、その先端が採血管２内の血液２１に到達する。また、開口１５を介してカートリッジ３の挿入部３１をカバー材１２の内部に差し込むと、カートリッジ３の内部に注入針１１の他端が挿入される。【選択図】図２
2009261540.tif 000002
【特許請求の範囲】
【請求項１】
第１の接続対象物および第２の接続対象物との間を内容物が流動可能な状態となるように、前記第１の接続対象物および前記第２の接続対象物を互いに接続するための医療用アダプタにおいて、
前記内容物を流動させるための内容物用針管と、
前記内容物用針管に取り付けられ、少なくとも前記内容物用針管の両端を覆うカバー部材と、
を備え、
前記カバー部材には、前記第１の接続対象物を収容する第１の収容部と、前記第２の接続対象物を収容する第２の収容部と、が形成され、
前記第１の接続対象物を前記第１の収容部に収容することで前記第１の接続対象物に前記内容物用針管の一端が差し込まれ、前記第２の接続対象物を前記第２の収容部に収容することで前記第２の接続対象物に前記内容物用針管の他端が差し込まれることを特徴とする医療用アダプタ。
【請求項２】
前記第１の接続対象物は、外力を受けた際の変形により内容物を流動させることでその内部構造により規定されるプロトコルに従った化学処理を実行可能な化学処理用カートリッジであることを特徴とする請求項１に記載の医療用アダプタ。
【請求項３】
前記内容物を流動させる際に空気を逃がすための空気用針管を備え、
前記空気用針管の一端は、前記第１の収容部に収容された前記第１の接続対象物または前記第２の収容部に収容された前記第２の接続対象物に差し込まれることを特徴とする請求項１または２に記載の医療用アダプタ。
【請求項４】
外力を受けた際の変形により内容物を流動させることでその内部構造により規定されるプロトコルに従った化学処理を実行可能な化学処理用カートリッジにおいて、
他の接続対象物との間を内容物が流動可能な状態となるように、当該化学処理用カートリッジおよび前記他の接続対象物を互いに接続するための医療用アダプタに接続可能な接続部を備えることを特徴とする化学処理用カートリッジ。
【請求項５】
前記医療用アダプタは、前記内容物を流動させるための内容物用針管と、
前記内容物用針管に取り付けられ、少なくとも前記内容物用針管の両端を覆うカバー部材と、
を備え、
前記カバー部材には、当該化学処理用カートリッジを収容する第１の収容部と、前記他の接続対象物を収容する第２の収容部と、が形成され、
当該化学処理用カートリッジを前記第１の収容部に収容することで前記接続部を介して当該化学処理用カートリッジに前記内容物用針管の一端が差し込まれ、前記他の接続対象物を前記第２の収容部に収容することで前記他の接続対象物に前記内容物用針管の他端が差し込まれることを特徴とする請求項４に記載の化学処理用カートリッジ。
【発明の詳細な説明】
【技術分野】
【０００１】
本発明は、第１の接続対象物および第２の接続対象物との間を内容物が流動可能な状態となるように、前記第１の接続対象物および前記第２の接続対象物を互いに接続するための医療用アダプタ、および医療用アダプタに接続可能な化学処理用カートリッジに関する。
【背景技術】
【０００２】
特許文献１には、とくに溶液の合成や溶解、検出、分離などの処理を、決められたプロトコルに従って個人差がなく安全、容易に行うことを目的として、内部に室および流路が形成され、その室や流路内での流動体の流動・流動阻止を可能とする弾性体と、位置や形状を確保するための基板とから構成された化学反応用カートリッジが提案されている。
【０００３】
特許文献１記載の発明によれば、ローラ等で弾性体を変形させて室や流路を押し潰し、押し潰した状態でローラ等を移動または停止することで、流動体の流動・流動阻止を行っている。
【０００４】
このような化学反応用カートリッジは、ＤＮＡ、ＲＮＡ、蛋白等を検査・分析するためのバイオ用カートリッジ（バイオチップ）としても利用される。特許文献１の段落００３３および図２１には、血液等の試料の注入口に凹部を形成しておき、この凹部を介してバイオチップに注入針を抜き差しすることで、漏れ出た試料を凹部に留める構成のバイオチップが記載されている。
【０００５】
特許文献２には、注射器に挿入され、励起光や励起される蛍光に対して透明な採血管と、ゴム栓と、採取された血液が一旦保持される採取部と、分離、抽出、蛍光標識の付加等の前処理を行う前処理部と、既知のＤＮＡの断片が配置された基板とから構成されるバイオチップが記載されている。
【特許文献１】特開２００５−０３７３６８号公報
【特許文献２】特許第３７５７４１２号公報
【発明の開示】
【発明が解決しようとする課題】
【０００６】
特許文献１記載の発明では、注射針をカートリッジから抜き取った際に、穿刺部周囲の凹部により漏洩した血液が周囲に付着するおそれは少ない。しかし、注射針の抜き差しに際して、注射針の血液が周囲に付着する可能性がある。また、特許文献２記載の発明においても、採血針をバイオチップのゴム栓から抜き差しする際に血液が周囲に付着する可能性がある。
【０００７】
本発明の目的は、安全性が確保できる医療用アダプタおよび、医療用アダプタに適応した化学処理用カートリッジを提供することにある。
【課題を解決するための手段】
【０００８】
本発明の医療用アダプタは、第１の接続対象物および第２の接続対象物との間を内容物が流動可能な状態となるように、前記第１の接続対象物および前記第２の接続対象物を互いに接続するための医療用アダプタにおいて、前記内容物を流動させるための内容物用針管と、前記内容物用針管に取り付けられ、少なくとも前記内容物用針管の両端を覆うカバー部材と、を備え、前記カバー部材には、前記第１の接続対象物を収容する第１の収容部と、前記第２の接続対象物を収容する第２の収容部と、が形成され、前記第１の接続対象物を前記第１の収容部に収容することで前記第１の接続対象物に前記内容物用針管の一端が差し込まれ、前記第２の接続対象物を前記第２の収容部に収容することで前記第２の接続対象物に前記内容物用針管の他端が差し込まれることを特徴とする。
この医療用アダプタによれば、内容物用針管の両端がカバー部材により覆われ、第１の接続対象物を第１の収容部に収容し、第２の接続対象物を第２の収容部に収容することで、第１の接続対象物および第２の接続対象物が互いに接続されるので、接続操作時等における安全性を確保できる。
【０００９】
前記第１の接続対象物は、外力を受けた際の変形により内容物を流動させることでその内部構造により規定されるプロトコルに従った化学処理を実行可能な化学処理用カートリッジであってもよい。
【００１０】
前記内容物を流動させる際に空気を逃がすための空気用針管を備え、前記空気用針管の一端は、前記第１の収容部に収容された前記第１の接続対象物または前記第２の収容部に収容された前記第２の接続対象物に差し込まれてもよい。
【００１１】
本発明の化学処理用カートリッジは、外力を受けた際の変形により内容物を流動させることでその内部構造により規定されるプロトコルに従った化学処理を実行可能な化学処理用カートリッジにおいて、他の接続対象物との間を内容物が流動可能な状態となるように、当該化学処理用カートリッジおよび前記他の接続対象物を互いに接続するための医療用アダプタに接続可能な接続部を備えることを特徴とする。
この化学処理用カートリッジによれば、当該化学処理用カートリッジおよび他の接続対象物を互いに接続するための医療用アダプタに接続可能な接続部を備えるので、医療用アダプタを適用することが可能となる。
【００１２】
前記医療用アダプタは、前記内容物を流動させるための内容物用針管と、前記内容物用針管に取り付けられ、少なくとも前記内容物用針管の両端を覆うカバー部材と、を備え、前記カバー部材には、当該化学処理用カートリッジを収容する第１の収容部と、前記他の接続対象物を収容する第２の収容部と、が形成され、当該化学処理用カートリッジを前記第１の収容部に収容することで前記接続部を介して当該化学処理用カートリッジに前記内容物用針管の一端が差し込まれ、前記他の接続対象物を前記第２の収容部に収容することで前記他の接続対象物に前記内容物用針管の他端が差し込まれてもよい。
【発明の効果】
【００１３】
本発明の医療用アダプタによれば、内容物用針管の両端がカバー部材により覆われ、第１の接続対象物を第１の収容部に収容し、第２の接続対象物を第２の収容部に収容することで、第１の接続対象物および第２の接続対象物が互いに接続されるので、接続操作時等における安全性を確保できる。
【００１４】
本発明の化学処理用カートリッジによれば、当該化学処理用カートリッジおよび他の接続対象物を互いに接続するための医療用アダプタに接続可能な接続部を備えるので、医療用アダプタを適用することが可能となる。
【発明を実施するための最良の形態】
【００１５】
以下、図１〜図７を参照して、本発明による医療用アダプタの実施形態について説明する。
【００１６】
図１は、一実施形態の医療用アダプタの構成を示す正面図である。
【００１７】
図１に示すように、本実施形態の医療用アダプタ１は、両端が鋭利な注入針１１と、注入針１１を覆うカバー材１２と、注入針１１をカバー材１２の内部に固定する固定部材１３と、を備える。
【００１８】
図１に示すように、注入針１１は屈曲した形状とされ、カバー材１２は注入針１１の形状に即した筒形状に形成され、カバー材１２の一端側に開口１４が、他端側に開口１５が、それぞれ設けられている。カバー材１２は注入針１１の両端より外側まで伸びており、注入針１１の両端まで注射針１１の全体を放射方向から覆い隠している。
【００１９】
カバー材１２の開口１４には図１に示す採血管２が差し込まれ、カバー材１２の開口１５には後述する化学処理用カートリッジ３が差し込まれる。
【００２０】
次に、図２を参照してアダプタ１の使用方法を説明する。
【００２１】
図２（ａ）は、アダプタ１に採血管２およびカートリッジ３を差し込んだ様子を示す図である。
【００２２】
図２（ａ）に示すように、開口１４を介して採血管２をカバー材１２の内部に差し込むと、注入針１１の一端が栓２２を突き破って採血管２に挿入され、その先端が採血管２内の血液２１に到達する。また、開口１５を介してカートリッジ３の挿入部３１をカバー材１２の内部に差し込むと、カートリッジ３の内部に注入針１１の他端が挿入される。このとき、アダプタ１が屈曲した形状とされているため、カートリッジ３を水平方向に設置することができる。
【００２３】
カートリッジ３は、一般的にマイクロリアクタとも呼ばれる反応器を構成する。カートリッジ３は、比較的硬質の基板と、弾力性を有する比較的柔軟な弾性部材とを重ね合わせて構成される。基板の材質としてはガラス、金属、樹脂等が用いられ、弾性部材の材質としては、シリコンゴム、ＰＤＭＳ（ポリジメチルシロキサン）、天然ゴムおよびその重合体、アクリルゴム、ウレタンゴム等が用いられる。
【００２４】
カートリッジ３を構成する弾性部材には、室および流路に対応する形状の窪みが設けられ、この窪みによって弾性部材と基板との間に形成される空間により、カートリッジ３内に室および流路が形成される。このような化学処理用カートリッジ３により、溶液の合成や溶解、検出、分離などの処理を、決められたプロトコルに従って個人差がなく安全、容易に行うことが可能となる。なお、化学処理用カートリッジの詳細については、特開２００５−０３７３６８号公報等に開示されている。
【００２５】
図２（ｂ）は、図２（ａ）の上方（Ｂ−Ｂ線方向）から見たアダプタ１、採血管２およびカートリッジ３の位置関係を示す図、図２（ｃ）は図２（ｂ）の一部拡大図である。
【００２６】
図２（ｃ）に示すように、カートリッジ３の挿入部３１には、注入針１１を受け入れる凹部３３が形成されている。この凹部３３は、カートリッジ３から漏れ出た血液を収容することで、外部への血液の拡散を防止するためのものである。
【００２７】
図２（ｂ）および図２（ｃ）に示すように、開口１５を介してカートリッジ３の挿入部３１をカバー材１２の内部に差し込むと、注入針１１の先端が凹部３３を介してカートリッジ３に差し込まれ、カートリッジ３に形成された採取室３２に到達する。
【００２８】
このように、アダプタ１に採血管２およびカートリッジ３をそれぞれ差し込むだけで、注射針１１の一端が採血管２の血液２１内に、注射針１１の他端がカートリッジ３の採取室３２内に、それぞれ挿入されるため、注入針１１を介して血液２１を採取室３２に安全に導入することができる。注射針１１はその両端までカバー部材１２に覆われているため、接続操作時における安全性を確保できる。
【００２９】
採取室３２への血液の導入および採取室３２に取り込まれた血液の検査は、採血管２およびアダプタ１を接続した状態でカートリッジ３を操作することにより実行される。特開２００５−０３７３６８号公報等に開示されているように、ローラ、スキージ等の押圧手段を用いてカートリッジ３をしごくようにして、血液および内部の試薬等を移動させることで、所定のプロトコルに従った検査を実行することができる。
【００３０】
図３（ａ）は、円筒状に構成された医療用アダプタの例を示す正面図である。
【００３１】
図３（ａ）に示す医療用アダプタ１Ａは、両端が鋭利な注入針１１Ａと、注入針１１Ａを覆うカバー材１２Ａと、注入針１１Ａをカバー材１２Ａの内部に固定する固定部材１３Ａと、を備える。
【００３２】
図３（ａ）に示すように、注入針１１Ａは直線状とされている。また、カバー材１２Ａは注入針１１Ａの形状に即した円筒形状に形成され、カバー材１２Ａの両端にそれぞれ開口が設けられている。カバー材１２Ａは注入針１１Ａの両端より外側まで伸びており、注入針１１Ａの両端まで注射針１１Ａの全体を放射方向から覆い隠している。
【００３３】
図３（ｂ）は、アダプタ１Ａに採血管２およびカートリッジ３Ａを差し込んだ様子を示す図である。
【００３４】
図３（ｂ）に示すように、採血管２をカバー材１２Ａの内部に差し込むと、注入針１１Ａの一端が採血管２に挿入され、その先端が採血管２内の血液２１に到達する。また、カートリッジ３Ａをカバー材１２Ａの内部に差し込むと、カートリッジ３Ａの内部に注入針１１Ａの他端が挿入される。
【００３５】
カートリッジ３Ａへの血液の導入およびカートリッジ３Ａに取り込まれた血液の検査は、採血管２およびアダプタ１を接続した状態でカートリッジ３Ａを操作することにより実行される。特開２００５−０３７３６８号公報等に開示されているように、ローラ、スキージ等の押圧手段を用いてカートリッジ３Ａをしごくようにして、血液および内部の試薬等を移動させることで、所定のプロトコルに従った検査を実行することができる。
【００３６】
このように、カートリッジ３Ａを水平にした状態で検査する必要がなければ、直線状のアダプタ１Ａを使用できる。なお、検査時における採血管およびカートリッジの向きは任意であり、その向きに応じた構造のアダプタを使用することができる。例えば、採血管をカートリッジの真下に位置付けてもよいし、上下を反転させ、カートリッジの上方に逆さ向きに位置付けてもよい。
【００３７】
図４（ａ）は、空気用針管を備えるアダプタを示す正面図である。
【００３８】
図４（ａ）に示すように、本実施形態の医療用アダプタ１Ｂは、両端が鋭利な注入針１１と、注入針１１よりも短く一端が鋭利な空気用針管１７と、注入針１１を覆うカバー材１２と、注入針１１および空気用針管１７をカバー材１２の内部に固定する固定部材１３と、を備える。
【００３９】
図４（ａ）に示すように、注入針１１は屈曲した形状とされ、カバー材１２は注入針１１の形状に即した筒形状に形成され、カバー材１２の一端側に開口１４が、他端側に開口１５が、それぞれ設けられている。カバー材１２は注入針１１および空気用針管１７の両端より外側まで伸びており、注入針１１の両端まで注射針１１および空気用針管１７の全体を放射方向から覆い隠している。
【００４０】
次に、図４（ｂ）を参照してアダプタ１Ｂの使用方法を説明する。
【００４１】
図４（ｂ）は、アダプタ１Ｂに採血管２およびカートリッジ３を差し込んだ様子を示す図である。
【００４２】
図４（ｂ）に示すように、開口１４を介して採血管２をカバー材１２の内部に差し込むと、注入針１１および空気用針管１７の一端が採血管２に挿入され、注入針１１の先端が採血管２内の血液２１に到達する。また、空気用針管１７の先端が採血管２内の空間部分に位置付けられる。
【００４３】
また、開口１５を介してカートリッジ３の挿入部３１をカバー材１２の内部に差し込むと、カートリッジ３の内部に注入針１１の他端が挿入される。このとき、アダプタ１Ｂが屈曲した形状とされているため、カートリッジ３を水平方向に設置することができる。
【００４４】
カートリッジ３への血液の導入およびカートリッジ３に取り込まれた血液の検査は、採血管２およびアダプタ１Ｂを接続した状態でカートリッジ３を操作することにより実行される。特開２００５−０３７３６８号公報等に開示されているように、ローラ、スキージ等の押圧手段を用いてカートリッジ３をしごくようにして、血液および内部の試薬等を移動させることで、所定のプロトコルに従った検査を実行することができる。アダプタ１Ｂを用いる場合には、採血管２の血液２１を注入針１１から排出して、カートリッジ内に吸入する際に、空気用針管１７により採血管２１内に空気が導入される。このため、アダプタ１Ｂを使用すれば、採血管２の中に空気を導入する他の経路が存在しない場合にも対応可能となる。
【００４５】
図５は、空気用針管を備える直線状のアダプタおよびカートリッジを示す正面図である。
【００４６】
図５に示すように、本実施形態の医療用アダプタ１Ｃは、両端が鋭利な注入針１１Ｃと、注入針１１よりも短く両端が鋭利な空気用針管１７Ｃと、注入針１１Ｃおよび空気用針管１７Ｃを覆うカバー材１２Ｃと、注入針１１Ｃおよび空気用針管１７Ｃをカバー材１２Ｃの内部に固定する固定部材１３Ｃと、を備える。
【００４７】
図５に示すように、注入針１１Ｃおよび空気用針管１７Ｃは直線状とされる。また、カバー材１２Ｃは注入針１１および空気用針管１７Ｃの形状に即した筒形状に形成され、カバー材１２Ｃの両端にそれぞれ開口が設けられている。カバー材１２Ｃは注入針１１Ｃおよび空気用針管１７Ｃの両端より外側まで伸びており、注入針１１Ｃの両端まで注射針１１Ｃおよび空気用針管１７Ｃの全体を放射方向から覆い隠している。
【００４８】
一方、化学処理用カートリッジ４には、血液が注入される採取室４１と、流路４２を介して採取室４１に接続された室４３と、空気を排出するための排出室４４と、注入針１１Ｃを受け入れる凹部４５と、空気用針管１７Ｃを受け入れる凹部４６と、その他の室および流路（不図示）とが設けられている。
【００４９】
次に、図６を参照してアダプタ１Ｃおよびカートリッジ４の使用方法を説明する。
【００５０】
図６は、アダプタ１Ｃに採血管２Ａおよびカートリッジ４を差し込んだ様子を示す図である。
【００５１】
図６に示すように、採血管２Ａをカバー材１２Ｃの内部に差し込むと、注入針１１Ｃおよび空気用針管１７Ｃの一端がそれぞれ採血管２Ａに挿入され、注入針１１Ｃの先端が採血管２Ａ内の血液２１に到達する。また、空気用針管１７Ａの先端が採血管２内の空間部分に位置付けられる。
【００５２】
また、カートリッジ４をカバー材１２Ｃの内部に差し込むと、凹部４５を介して注入針１１Ｃの他端が採取室４１に挿入されるとともに、凹部４６を介して空気用針管１７Ｃの他端が排出室４４に差し込まれる。
【００５３】
この状態で、ローラ等を用いて、排出室４４の空気を空気用針管１７Ｃを介して押し出し、採血管２Ａの内部に空気を排出する。これにより採血管２Ａの内圧が高くなり、注入針１１Ｃを介して血液が採取室４１に導入される。また、別法として、図６に示すように排出室４４に空気の注入口４４ａを設け、シリンジ等により注入口４４ａを介して排出室４４に空気を導入してもよい。さらに、図６に示すように、注射器４７の針をカートリッジ４の外部から排出室４４の内部まで突き刺し、注射器４７によって排出室４４に空気を導入してもよい。
【００５４】
カートリッジ４に取り込まれた血液の検査は、採血管２Ａおよびアダプタ１Ｃを接続した状態でカートリッジ４を操作することにより実行される。特開２００５−０３７３６８号公報等に開示されているように、ローラ、スキージ等の押圧手段を用いてカートリッジ４をしごくようにして、血液および内部の試薬等を移動させることで、所定のプロトコルに従った検査を実行することができる。
【００５５】
本発明による医療用アダプタの適用範囲は限定されない。例えば、図７に示すように、アダプタ１Ａ（図３（ａ））を、流路管５どうしを接続するための接続アダプタとして使用することもできる。この場合、流路管５，５をアダプタ１Ａの両側にそれぞれ差し込むことにより、注入針１１Ａが栓５１，５１を突き破って流路管５の内部に挿入され、流路管５，５が互いに接続される。
【００５６】
以上説明したように、本発明の医療用アダプタによれば、内容物用針管の両端がカバー部材により覆われ、第１の接続対象物を第１の収容部に収容し、第２の接続対象物を第２の収容部に収容することで、第１の接続対象物および第２の接続対象物が互いに接続されるので、接続操作時等における安全性を確保できる。
【００５７】
本発明の化学処理用カートリッジによれば、当該化学処理用カートリッジおよび他の接続対象物を互いに接続するための医療用アダプタに接続可能な接続部を備えるので、医療用アダプタを適用することが可能となる。
【００５８】
本発明の適用範囲は上記実施形態に限定されることはない。本発明は、安全性が確保できる医療用アダプタおよび、医療用アダプタに適応した化学処理用カートリッジに対し、広く適用することができる。
【図面の簡単な説明】
【００５９】
【図１】一実施形態の医療用アダプタの構成を示す正面図。
【図２】アダプタの使用方法を示す図であり、（ａ）は、アダプタに採血管およびカートリッジを差し込んだ様子を示す図、（ｂ）は、（ａ）の上方（Ｂ−Ｂ線方向）から見たアダプタ、採血管およびカートリッジの位置関係を示す図、（ｃ）は、（ｂ）の一部拡大図。
【図３】別の実施形態の医療用アダプタを示す図であり、（ａ）は、円筒状に構成された医療用アダプタの例を示す正面図、（ｂ）は、アダプタに採血管およびカートリッジを差し込んだ様子を示す図。
【図４】別の実施形態の医療用アダプタを示す図であり、（ａ）は、空気用針管を備えるアダプタを示す正面図、（ｂ）は、アダプタに採血管およびカートリッジを差し込んだ様子を示す図。
【図５】空気用針管を備える直線状のアダプタおよびカートリッジを示す正面図。
【図６】アダプタに採血管およびカートリッジを差し込んだ様子を示す図。
【図７】医療用アダプタを、流路管どうしを接続するための接続アダプタとして使用する例を示す図。
【符号の説明】
【００６０】
１，１Ａ，１Ｂ，１Ｃ  医療用アダプタ
３，３Ａ，４  化学処理用カートリッジ
１１，１１Ａ，１１Ｃ  注入針（内容物用針管）
１２，１２Ａ，１２Ｃ  カバー部材
１７，１７Ｃ  空気用針管
【図１】
2009261540.tif 000003
【図２】
2009261540.tif 000004
【図３】
2009261540.tif 000005
【図４】
2009261540.tif 000006
【図５】
2009261540.tif 000007
【図６】
2009261540.tif 000008
【図７】
2009261540.tif 000009